(57)【要約】【課題】棚５の水平面への投影面が上方停止位置から下方停止位置までの間で少なくとも一部が重なった状態で水平又は略水平姿勢で昇降する棚５に、物を置いた状態でも上方停止位置Ｕに停止維持できるようにする。【解決手段】固定部３，４に取付け可能な左右一対の取付部材６，７と、棚５と、取付部材５，６の各々と棚５の側部５ａ（又は５ｂ）との間に設けられ、棚５を昇降させる左右一対の昇降リンク機構８，９とを備え、取付部材５，６と棚５との間に、降下中の棚５の移動を下方停止位置Ｌで停止させる下方停止手段１０と、上昇中の棚５の上方停止位置Ｕでの保持と該保持の解除とを行う保持・解除手段１１とを設けたこと。【選択図】図１
2007175133.tif 000002
【特許請求の範囲】
【請求項１】
固定部に取付け可能な左右一対の取付部材と、棚と、取付部材の各々と棚の側部との間に設けられ、棚の水平面への投影面が上方停止位置から下方停止位置までの間で少なくとも一部が重なった状態で水平又は略水平姿勢で前記棚を昇降させる左右一対の昇降リンク機構とを備えた昇降棚装置において、前記取付部材と前記棚との間に、降下中の棚の移動を下方停止位置で停止させる下方停止手段と、上昇中の棚の上方停止位置での保持と該保持の解除とを行う保持・解除手段とを設けたことを特徴する昇降棚装置。
【請求項２】
前記保持・解除手段は、前記昇降リンク機構と前記取付部材に設けれたラッチ機構との組合せからなり、前記昇降リンク機構は、係止操作用間隔を開けて平行な上下一対の昇降リンクと、上昇中の上下一対の昇降リンクを上昇限界位置で停止させるストッパとを備えて、各昇降リンクの両端側が取付部材と棚の側部とにそれぞれ枢着され、上記ラッチ機構は、突出方向へ付勢すると共に上昇する昇降リンクで押圧される傾斜案内面を形成した係合片を備えて、各係合片は、上昇限界位置より下方で上下移動する上下一対の昇降リンクによる繰り返す押圧操作を受けると突出位置と後退位置とを択一的に交互に位置を切換え、突出位置では上記係止操作用間隔へ前記係合片が突出して上方の昇降リンクを係止して上方の昇降リンクの降下を停止させ又は上方の昇降リンクより更に上方に位置して垂直投影すると上方の昇降リンクと前記係合片が重なり、また、後退位置では上記係止操作用間隔へ前記係合片がわずかに突出して上昇中の下方の昇降リンク又は降下中の上方の昇降リンクで押圧される請求項１記載の昇降棚装置。
【請求項３】
前記保持・解除手段は、前記棚に設けられ、棚の左右両側から係合位置へ突出するように付勢した進退自在な左右一対の係合片と、前記取付部材の各々に設けられ、係合位置の各係合片と係合する係合部と、前記棚に設けられ両係合片を非係合位置まで後退させる解除手段とを備えた請求項１記載の昇降棚装置。
【発明の詳細な説明】
【技術分野】
【０００１】
本発明は、昇降棚装置に関するものである。
【背景技術】
【０００２】
従来、昇降棚装置には、特許文献１に記載のものがある。この昇降棚装置は、流し台の上方側に位置する固定部に取付け可能な一対の取付け基材の各々に、洗浄された洗浄物を水切り状態で載置可能な水切り棚を水平又は略水平姿勢で昇降自在に支持する昇降リンク機構を設けるとともに、水切り棚を最下端の水切り位置と最上端の格納位置とに選択的に付勢保持可能な付勢手段を設けたものがある。付勢手段は、引張コイルバネの弾性復元力で水切り棚を格納位置側に移動付勢するとともに、水切り位置においては、引張コイルバネの上方への弾性復元力よりも水切り棚及び二組の昇降リンクの自重による下方への付勢力が強いため、水切り棚は水切り位置と格納位置とに選択的に安定して保持することができるように構成されている。
【特許文献１】特開２００５−２８８１５１公報
【発明の開示】
【発明が解決しようとする課題】
【０００３】
しかし、前記特許文献１に記載の昇降棚装置は、水切り棚を最上端の格納位置に付勢保持可能な付勢手段を備えているため、物を載置した棚の総重量が付勢保持力より勝っているときには、物を置いた状態の棚を停格納位置に止維持させることができない問題点がある。そこで、本発明は、上記問題点を解決するために、棚に物を置いた状態でも上方停止位置に停止維持できる昇降棚装置の提供を目的とする。
【課題を解決するための手段】
【０００４】
棚に物を置いた状態でも上方停止位置に棚を停止維持できるようにするために請求項１記載の本発明が採用した手段は、固定部に取付け可能な左右一対の取付部材と、棚と、取付部材の各々と棚の側部との間に設けられ、棚の水平面への投影面が上方停止位置から下方停止位置までの間で少なくとも一部が重なった状態で水平又は略水平姿勢で前記棚を昇降させる左右一対の昇降リンク機構とを備えた昇降棚装置において、前記取付部材と前記棚との間に、降下中の棚の移動を下方停止位置で停止させる下方停止手段と、上昇中の棚の上方停止位置での保持と該保持の解除とを行う保持・解除手段とを設けたことを特徴する昇降棚装置である。
【０００５】
請求項１記載の本発明にあっては、降下中の棚を下方停止位置に下方停止手段で停止させ、また、物を載置した上昇中の棚を保持・解除手段で上方停止位置に保持して停止維持させることができると共に、保持・解除手段の解除で棚を下方停止位置へ向かって降下させることができる。また、棚の水平面への投影面が上方停止位置から下方停止位置までの間で少なくとも一部が重なった状態で棚を昇降させるので、棚が昇降の際に前後に大きく移動せずに使いやすい。
【０００６】
保持・解除手段の構造を簡単にして操作を容易とするために請求項２記載の本発明が採用した手段は、前記保持・解除手段は、前記昇降リンク機構と前記取付部材に設けれたラッチ機構との組合せからなり、前記昇降リンク機構は、係止操作用間隔を開けて平行な上下一対の昇降リンクと、上昇中の上下一対の昇降リンクを上昇限界位置で停止させるストッパとを備えて、各昇降リンクの両端側が取付部材と棚の側部とにそれぞれ枢着され、上記ラッチ機構は、突出方向へ付勢すると共に上昇する昇降リンクで押圧される傾斜案内面を形成した係合片を備えて、各係合片は、上昇限界位置より下方で上下移動する上下一対の昇降リンクによる繰り返す押圧操作を受けると突出位置と後退位置とを択一的に交互に位置を切換え、突出位置では上記係止操作用間隔へ前記係合片が突出して上方の昇降リンクを係止して上方の昇降リンクの降下を停止させ又は上方の昇降リンクより更に上方に位置して垂直投影すると上方の昇降リンクと前記係合片が重なり、また、後退位置では上記係止操作用間隔へ前記係合片がわずかに突出して上昇中の下方の昇降リンク又は降下中の上方の昇降リンクで押圧される請求項１記載の昇降棚装置である。
【０００７】
請求項２記載の本発明にあっては、上昇中の棚を保持・解除手段で保持する場合には、棚と共に上昇中の上下一対の昇降リンクが上昇限界位置へ至る間に、突出位置に待機中の係合片を上昇中の上方の昇降リンクで押圧し、続けて上方の昇降リンクの離れた係合片を係止操作用間隔へ突出させて後退位置とし、更に続けて後退位置の係合片を上昇中の下方の昇降リンクで押圧し、次に、上下一対の昇降リンクを上昇限界位置から棚と共に降下させると、下方の昇降リンクの離れた係合片を係止操作用間隔へ突出させて突出位置とし、続けて降下中の上方の昇降リンクを係合片で係止して、棚を上方停止位置で保持する。また、保持・解除手段で解除して棚を下方停止位置へ向かって降下させる場合には、先ず上下一対の昇降リンクを上昇限界位置まで上昇させて、突出位置に待機中の係合片を上昇する下方の昇降リンクで押圧し、次に、上下一対の昇降リンクを上昇限界位置から棚と共に棚の下方停止位置へ向け降下させる間に、下方の昇降リンクの離れた係合片を係止操作用間隔へ突出させて後退位置とし、続けて降下中の上方の昇降リンクで係合片を再度押圧し、その後に上方の昇降リンクが離れた係合片を突出位置へ突出させ、次に保持・解除手段で保持する次の操作まで待機させる。
【０００８】
保持・解除手段の操作を容易とするために請求項３記載の本発明が採用した手段は、前記保持・解除手段は、前記棚に設けられ、棚の左右両側から係合位置へ突出するように付勢した進退自在な左右一対の係合片と、前記取付部材の各々に設けられ、係合位置の各係合片と係合する係合部と、前記棚に設けられ両係合片を非係合位置まで後退させる解除手段とを備えた請求項１記載の昇降棚装置である。係合部に対する係合片の係合が円滑にできるように、取付部材と摺接する傾斜案内面を係合片に形成することもある。
【０００９】
請求項３記載の本発明にあっては、上昇中の棚を保持・解除手段で保持する場合には、各係合部に、係合位置へ前進した各係合片を係合させて棚を上方停止位置に停止維持させ、また、保持・解除手段の保持を解除して棚を降下させる場合には、解除手段で両係合片を非係合位置まで後退させて係合部との係合を解除して棚を降下させることができる。
【発明の効果】
【００１０】
請求項１記載の本発明に係る昇降棚装置は、降下する棚を下方停止位置に下方停止手段で停止させ、また、上昇中の棚を保持・解除手段で上方停止位置に保持して物を載置した状態の棚でも上方停止位置に停止維持させることができる。
【００１１】
請求項２記載の本発明に係る昇降棚装置は、取付部材に係合片を設けて保持・解除手段を構成するため保持・解除手段の構造を簡単にできると共に、棚と共に上下一対の昇降リンクを上昇限界位置の近辺で上下移動させることで、上昇中の棚の上方停止位置での保持と、この保持の解除とができるため、保持・解除の操作が容易となる。
【００１２】
請求項３記載の本発明に係る昇降棚装置は、係合位置へ前進する係合片を係合部に係合させ、また、解除手段で係合部に対する係合片の係合を解除することで、上昇中の棚の上方停止位置での保持と、この保持の解除とができるため、保持・解除の操作が容易となる。
【発明を実施するための最良の形態】
【００１３】
本発明に係る昇降棚装置（以下、「本発明棚装置」と言う。）を図面に示す実施形態に基づいて説明する。
【００１４】
（第１の実施の形態）
図１乃至図５は第１の実施の形態に係る本発明棚装置１を示すものであり、図１は流し台２の上方に配設した本発明棚装置１の棚５を下方停止位置Ｌに停止維持させている状態であって、上下方向の中間を省略すると共に取付部材６の一部を破断した右側面断面図、図２は同状態の中間省略した正面図、図３は本発明棚装置１の棚５を上方停止位置Ｕに停止維持させている状態の中間省略した右側面断面図、図４は保持・解除手段１１の左側のラッチ機構２０と左側の昇降リンク機構８との関係を示すものであって、（Ａ）〜（Ｅ）は上昇中の棚５を上方停止位置Ｕに保持させまでの各動作を説明する正面断面図、図５は保持・解除手段１１の左側のラッチ機構２０と左側の昇降リンク機構８との関係を示すものであって、（Ａ）〜（Ｅ）は棚５の上方停止位置Ｕでの保持状態を解除して棚５の降下を可能とする各動作を説明する正面断面図である。
【００１５】
本発明棚装置１は、図１〜図３に示す如く、流し台２の上方に配設した吊り収納キャビネット等からなる左右の固定部３，４の間の空間に設けられるものであって、流し台２の上方で棚５が水平又は略水平姿勢を維持しつつ昇降するようになっている。本発明棚装置１は、固定部３，４に取付け可能な左右一対の取付部材６，７と、棚５と、各取付部材６（７）と棚５の側部５ａ（５ｂ）との間に設けらた左右一対の昇降リンク機構８，９と、各取付部材６（７）と棚５との間に設けられ、降下中の棚５の移動を下方停止位置Ｌで停止させる（図１の状態）下方停止手段１０と、各取付部材６（７）と棚５との間に設けられ、上昇中の棚５の上方停止位置Ｕでの保持（図３の状態）と該保持の解除とを行う保持・解除手段１１とを備えている。本発明棚装置１は、左右一対の取付部材６，７と左右一対の昇降リンク機構８，９との間の各々にバランス用引張バネ２７を設け、棚５の重量よりも軽い力で棚５を昇降操作できるようにしてある。本発明棚装置１は、保持・解除手段１１で棚５を上方停止位置Ｕに保持しているときにも棚５の上方に上方収納空間Ｄを確保するように配置され、棚５に載置した物Ｍを上方収納空間Ｄに収納できるようにしてある。
【００１６】
本例は、吊り収納キャビネット等からなる左右の固定部３，４の間に目隠し板２５を横架し、上方停止位置Ｕで棚５が保持されている本発明棚装置１を手前側から見え難くいように覆い隠して、見栄えよくしてある。
【００１７】
前記左右一対の昇降リンク機構８，９は、棚５の仮想水平面への投影面が上方停止位置Ｕから下方停止位置Ｌまでの間で少なくとも一部が重なった状態で水平又は略水平姿勢を維持しつつ棚５を昇降させるように構成してある。本例の昇降リンク機構８，９は、棚５を上方停止位置Ｕから下方停止位置Ｌへ向かって降下させるときに、流し台２の上方において手前側（使用者側）から後方（奥側）へ棚５を移動させるようになっており、棚（水切り棚）５から滴下する水を流し台２のシンク２ａで受け止めるようにしてある。左右一対の昇降リンク機構８，９は、左右対称に形成され、各昇降リンク機構８（９）は、係止操作用間隔Ｓを開けて平行に並ぶ上下一対の昇降リンク１２，１３と、昇降リンク１２，１３の上昇限界位置Ａ（図４（Ｃ）及び図５（Ｂ）参照）及び棚５の下方停止位置Ｌ（図１参照）で昇降リンク１２，１３に当接して昇降リンク１２，１３を停止させるストッパ１４とを備え、昇降リンク１２，１３の両端側を取付部材６（７）と棚５の側部５ａ（５ｂ）とに枢着１５，１６，１７，１８させ、昇降リンク１２，１３と取付部材６（７）と棚５の側部５ａ（５ｂ）とからなる平行リンク機構を構成している。前記左右一対の昇降リンク機構８，９は、上方の昇降リンク１２，１２どうしを連結棒２６で連結して、両昇降リンク１２，１２の間隔を一定にしてある。
【００１８】
上記ストッパ１４は、各取付部材６（７）から昇降リンク１２，１３の係止操作用間隔Ｓへ突出した突設片で形成され、上方の昇降リンク１２との組合せで下方停止手段１０を構成して、棚５の下方停止位置Ｌで昇降リンク１２，１３を停止させるときには上方の昇降リンク１２が当接するようになっている（図１参照）。また、ストッパ１４は、昇降リンク１２，１３を上昇限界位置Ａで停止させるとき（図４（Ｃ）及び図５（Ｂ）の状態）には下方の昇降リンク１３の側面１３ｂが当接するようになっている。
【００１９】
前記棚５は、ステンレス鋼素材から形成され、線材を主材とする網状の棚部５ｃと、棚部５ｃの前端縁又は後端縁が接合される前後一対の棒状の枠体５ｄ，５ｅと、手前下方の棒状の連結体５ｆと、これら枠体５ｄ，５ｅ及び連結体５ｆの左右端面に接合した左右一対の板状の側部５ａ（５ｂ）とから構成されている。棚部５ｃは、網状とすることで水切りができるようなっているが、多孔板で形成することも、また水切り棚としないときには、板材を折り曲げて形成したものを選択することが可能である。
【００２０】
前記保持・解除手段１１は、前記左右一対の昇降リンク機構８，９と、前記左右一対の取付部材６，７の各々に設けられた左右一対のラッチ機構２０，２０との組合せからなる。なお、保持・解除手段１１は、図１及び図３では左側のみが示しているが、右側は左側と左右対称となっている。各ラッチ機構２０は、図４及び図５に示す如く、取付部材６に取り付けたケーシング２１と、ケーシング２１内で左右方向へ摺動自在に案内されてケーシング外へ突出する係合片２２と、係合片２２を突出方向へ付勢するバネ２３と、上下一対の昇降リンク１２，１３の上下移動による繰り返す押圧操作を受ける係合片２２が突出位置Ｂと後退位置Ｃとを択一的に交互に位置を切換えるための位置切換え機構２４とを備えている。係合片２２は、下面側に傾斜案内面２２ａを形成し、上昇中の下方の昇降リンク１３で押圧されるときに円滑に後退するようにしてある。また、係合片２２は、尖端部を丸めて湾曲させることで、後退位置Ｃに停止中の尖端部に降下中の上方の昇降リンク１２を円滑に当接させて、更にわずかに後退できるようにしてある。上下一対の昇降リンク１２，１３は、係合片２２に当接する箇所に合成樹脂製の緩衝材１２ａ，１３ａを取り付け、係合片２２との当接が円滑に行われるようにしてある。
【００２１】
上記位置切換え機構２４は、係合片２２に凹設した環状のカム溝２４ａと、ケーシング２１に一端を揺動自在に支持させると共に他端の鉤部をカム溝２４ａに嵌入させた棒状カム２４ｂとの組合せからなる。係合片２２は、突出位置Ｂへ突出しているときには、上下一対の昇降リンク１２，１３の係止操作用間隔Ｓへ突出して上方の昇降リンク１２を係止して上方の昇降リンク１２の降下を停止させか（図４（Ｅ）状態）又は上方の昇降リンク１２より更に上方に位置して垂直投影すると上方の昇降リンク１２と重なる（図４（Ａ）状態）ようになっている。また、係合片２２は、後退位置Ｃへ後退しているときには、係止操作用間隔Ｓへ尖端部をわずかに突出して上昇する下方の昇降リンク１３で押圧されか（図４（Ｂ）参照）又は降下する上方の昇降リンク１２で押圧される（図５（Ｃ）参照）ようになっている。
【００２２】
前記保持・解除手段１１の動作は次のようになっている。下方停止位置Ｌから上昇させる棚５を保持・解除手段１１で保持する場合には、図４に示す如く、使用者が連結体５ｆ（図１参照）等を持ち上げることで、突出位置Ｂに待機中の係合片２２の傾斜案内面２２ａを上昇中の上方の昇降リンク１２（同図（Ａ））で押圧しつつ係合片２２を後退させ、続けて上昇中の上方の昇降リンク１２の離れた係合片２２の尖端部を係止操作用間隔Ｓへわずかに突出させて後退位置Ｃとし（同図（Ｂ）の状態）、更に続けて後退位置Ｃの係合片２２の尖端部を上昇中の下方の昇降リンク１３で押圧しつつ昇降リンク１２，１３を上昇限界位置Ａへ到達させ（同図（Ｃ）の状態）、次に、連結体５ｆ（図１参照）等を持ち下げて棚５と共に昇降リンク１２，１３を降下させ、下方の昇降リンク１３の離れた係合片２２を係止操作用間隔Ｓへ突出させて突出位置Ｂとし（同図（Ｄ）の状態）、降下中の上方の昇降リンク１２を係合片２２で係止して（同図（Ｅ）の状態）、棚５を上方停止位置Ｕで保持する（図３の状態）。
【００２３】
また、保持・解除手段１１を解除して上方停止位置Ｕで保持されている棚５を下方停止位置Ｌへ向かって降下させる場合には、図５に示す如く、使用者が連結体５ｆ（図１参照）等を若干持ち上げられることで棚５と共に昇降リンク１２，１３を上昇限界位置Ａ（同図（Ｂ）の状態）まで上昇させ、その間に突出位置Ｂに待機中の係合片２２の傾斜案内面２２ａを上昇する下方の昇降リンク１３で押圧し、次に、連結体５ｆ（図１参照）等を持ち下げることで、下方の昇降リンク１３の離れた係合片２２の尖端部を係止操作用間隔Ｓへ突出させて後退位置とし（同図（Ｃ））、続けて降下中の上方の昇降リンク１２で係合片２２の尖端部を再度押圧し（同図（Ｄ））、その後に上方の昇降リンク１２が離れた係合片２２を突出位置Ｂへ突出させ（同図（Ｅ））、次に保持・解除手段１１で保持する次の操作（図４参照）まで待機させる。保持・解除手段１１の保持が解除された左右一対の昇降リンク機構８，９は、棚５と共に降下して、図１及び図２に示すように下方停止手段１０により下方停止位置Ｌに停止する。
【００２４】
本発明棚装置１は、上昇中の棚５を保持・解除手段１１で上方停止位置Ｕに保持することで、棚５に物Ｍを載置した状態でも棚５を上方停止位置Ｕで停止維持させることができると共に、保持・解除手段１１の解除で棚５を下方停止位置Ｌへ向かって降下させ、下方停止手段１０で下方停止位置Ｌに停止した棚５に対する物の出し入れ作業が楽にできるようになる。本例の本発明棚装置１は、棚５と共に上下一対の昇降リンク１２，１３を上昇限界位置Ａの近辺で上下移動させる簡単な操作で、上昇中の棚５の上方停止位置Ｕでの保持と、この保持の解除とができるため、操作性が良く使用者の保持・解除の操作が非常に容易となる。また、本発明棚装置１は、棚５の水平面への投影面が上方停止位置Ｕから下方停止位置Ｌまでの間で少なくとも一部が重なった状態で棚５を昇降させるので、棚５が昇降の際に前後に大きく移動せずに使いやすい。
【００２５】
（第２の実施の形態）
図６及び図８は第２の実施の形態に係る本発明棚装置を示すものであり、図６は棚５を上方停止位置Ｕに保持させている状態の上下方向の中間を省略した右側面断面図である。図７は棚５を下方停止位置Ｌに停止維持させている状態の上下方向の中間を省略した右側面断面図である。図８は棚５を上方停止位置Ｕに保持させている状態の要部を拡大して示すものであり、同図（Ａ）は左右方向の中間を省略すると共に、左半分に係合片４２の係合状態を示し右半分に係合片４２の非係合状態を示した平面断面図、同図（Ｂ）は左右方向の中間を省略すると共に、左半分に係合片４２の係合状態を示し右半分に係合片４２の非係合状態を示した正面断面図である。
【００２６】
本実施の形態に係る本発明棚装置３１は、前記第１の実施の形態の本発明棚装置１と保持・解除手段４１が相違するだけであり、その他の構成が本発明棚装置１と実質的に同一であり、同一の構成部等については同一の符号で示している。
【００２７】
前記保持・解除手段４１は、棚５に設けられ、棚５の左右両側から突出する係合位置Ｅへ前進させるように付勢した進退自在な左右一対の係合片４２，４２と、取付部材５６，５７の各々に設けられ、係合位置Ｅの各係合片４２と係合する係合部４４と、棚５に設けられ、両係合片４２を非係合位置Ｆまで後退させる解除手段４５とを備えている。
【００２８】
本例の保持・解除手段４１は、枠体５ｄの左右両端側に設けら、各係合片４２を進退自在に案内するケーシング４６と、各係合片４２と各ケーシング４６との間に配置した付勢用バネ４８と、枠体５ｄの左右中央に取着した把手５２に進退自在に配置した解除ハンドル４９と、解除ハンドル４９と各係合片４２の後端側長孔４２ｂとを連結する二本のケーブル５０，５０と、各ケーブル５０を案内して方向変換する案内具５１，５１とを備えている。解除手段４５は、解除ハンドル４９、二本のケーブル５０，５０及び案内具５１，５１で構成されることになる。保持・解除手段４１は、通常は各係合片４２を付勢用バネ４８で係合位置Ｅへ付勢突出させ、解除時に解除ハンドル４９を付勢用バネ４８，４８の反発力に抗して手前に引くと、各係合片４２を非係合位置Ｆまで後退させるようにしてある。各係合片４２は、上面側に傾斜案内面４２ａを形成して、取付部材５６（５７）に傾斜案内面４２ａを摺接させることで、係合部４４に対する係合動作を円滑に行わせるようにしてある。
【００２９】
前記係合部４４は、本例では取付部材５６（５７）に凹設した凹部で形成されているが、取付部材５６（５７）に取着した係止突起（図示略）で形成し、係止突起に係合片４２の先端部を係止させるようにすることも可能である。
【００３０】
本発明棚装置３１は、上昇中の棚５を保持・解除手段４１で保持する場合には、係合位置Ｅへ前進した各係合片４２を各係合部４４に係合させて棚５を上方停止位置Ｕに停止維持させて保持し（６図（Ａ）状態）、また、棚５の保持を解除して棚５を降下させる場合には、保持・解除手段４１の解除ハンドル４９を手前に引いて各係合片４２を非係合位置Ｆまで後退させて係合部４４との係合を解除して棚５を降下させ、棚５を下方停止位置Ｌに下方停止手段１０で停止させる。本発明棚装置３１は、上昇中の棚５を保持・解除手段４１で上方停止位置Ｕに保持することで、棚５に物を載置した状態でも棚５を上方停止位置Ｕで停止維持させることができると共に、保持・解除手段４１の解除で棚５を下方停止位置Ｌへ向かって降下させ、下方停止手段１０で下方停止位置Ｌに停止している棚５に対する物の出し入れ作業が楽にできるようになる。
【産業上の利用可能性】
【００３１】
本発明棚装置は、台所の水切り棚に適用する以外に、洗面器や作業机等の上方に昇降自在に配置する棚に適用することも可能である。
【図面の簡単な説明】
【００３２】
【図１】本発明棚装置の第１の実施の形態を示すものであり、流し台の上方に配設した本発明棚装置の棚を下方停止位置に停止維持させている状態であって、上下の中間を省略すると共に取付部材の一部を破断した右側面断面図である。
【図２】第１の実施の形態における同状態の中間省略した正面図である。
【図３】第１の実施の形態において本発明棚装置の棚を上方停止位置に停止維持させている状態の中間省略した右側面断面図である。
【図４】第１の実施の形態における保持・解除手段の左側のラッチ機構と左側の昇降リンク機構との関係を示すものであって、（Ａ）〜（Ｅ）は棚を上方停止位置に保持させまでの各動作を説明する正面断面図である。
【図５】第１の実施の形態における保持・解除手段の左側のラッチ機構と左側の昇降リンク機構との関係を示すものであって、（Ａ）〜（Ｅ）は棚の上方停止位置での保持状態を解除して棚の降下を可能とする各動作を説明する正面断面図である。
【図６】本発明棚装置の第２の実施の形態を示すものであり、棚を上方停止位置に保持させている状態の上下方向の中間を省略した右側面断面図である。
【図７】第２の実施の形態において、棚を下方停止位置に停止維持させている状態の上下方向の中間を省略した右側面断面図である。
【図８】第２の実施の形態において、棚を上方停止位置に保持させている状態の要部を拡大して示すものであり、同図（Ａ）は左右方向の中間を省略すると共に、左半分に係合片の係合状態を示し右半分に係合片の非係合状態を示した平面断面図、同図（Ｂ）は左右方向の中間を省略すると共に、左半分に係合片の係合状態を示し右半分に係合片の非係合状態を示した正面断面図である。
【符号の説明】
【００３３】
１…本発明棚装置、３，４…左右の固定部、５…棚、５ａ，５ｂ…側部、５ｃ…棚部、６，７…左右一対の取付部材、８，９…左右一対の昇降リンク機構、１０…下方停止手段、１１…保持・解除手段、１２，１３…上下一対の昇降リンク、１４…ストッパ、２０…ラッチ機構、２１…ケーシング、２２…係合片、２３…バネ、２４…位置切換え機構、２４ａ…カム溝、２４ｂ…棒状カム、３１…本発明棚装置、４１…保持・解除手段、４２…係合片、４４…係合部、４５…解除手段、４９…解除ハンドル、Ａ…上昇限界位置、Ｂ…突出位置、Ｃ…後退位置、Ｄ…上方収納空間、Ｅ…係合位置、Ｆ…非係合位置、Ｕ…上方停止位置、Ｌ…下方停止位置
【図１】
2007175133.tif 000003
【図２】
2007175133.tif 000004
【図３】
2007175133.tif 000005
【図４】
2007175133.tif 000006
【図５】
2007175133.tif 000007
【図６】
2007175133.tif 000008
【図７】
2007175133.tif 000009
【図８】
2007175133.tif 000010